(57)【要約】【目的】  カメラと三脚とを連結するための連結部材を利用してカメラをスタンドに簡単に装着することができ、更には、スタンド上でのカメラ姿勢を適正に定めることができ、更にはカメラをスタンド上でチルト動作させることができるカメラスタンド構造を提供する。【構成】  カメラと三脚とを連結するための連結金具１が利用される。連結金具１を中間支持部材２のあり溝２１ａにスライドさせて嵌め込むことができる。中間支持部材２がスタンド３に装着される。中間支持部材２には弾性支持された片部２１ｂ（凸部２１ｃを有する）が形成されている。連結金具１の三脚ねじ用の穴１ｂに前記凸部２１ｃが係止されたときにカメラ５の基本姿勢が定まる。連結金具１及びあり溝２１ａは円弧形状を有する。連結金具１をあり溝２１ａ内でスライドさせることでカメラ５がチルト動作する。【選択図】        図３
2006053357.tif 000002
【特許請求の範囲】
【請求項１】
カメラと三脚とを連結するための三脚ねじ用穴を有した連結部材が利用され、前記連結部材を中間支持部材のあり溝部にスライドさせて嵌め込むことができ、前記中間支持部材がスタンドに装着されることを特徴とするカメラスタンド構造。
【請求項２】
請求項１に記載のカメラスタンド構造において、前記中間支持部材には弾性支持された片部が形成されており、この片部には略半球状の凸部が形成されており、前記連結部材の三脚ねじ用穴に前記凸部が係止されたときに、前記カメラの基本姿勢が定まるように構成されていることを特徴とするカメラスタンド構造。
【請求項３】
請求項１又は請求項２に記載のカメラスタンド構造において、前記あり溝部にスライド嵌合する前記連結部材の箇所が円弧形状を有しており、前記あり溝部も円弧形状を有しており、前記連結部材を前記あり溝部内でスライドさせることで前記カメラがチルト動作するように構成されていることを特徴とするカメラスタンド構造。
【請求項４】
請求項１乃至請求項３のいずれかに記載のカメラスタンド構造において、前記中間支持部材の連結部材入り口とは反対の側に前記連結部材のスライド移動の範囲を制限するストッパが形成されていることを特徴とするカメラスタンド構造。
【請求項５】
請求項１乃至請求項４のいずれかに記載のカメラスタンド構造において、前記スタンドには凹部が形成されており、この凹部に前記中間支持部材が挿入され、前記凹部の内面が前記連結部材のスライド移動の範囲を制限するストッパとなることを特徴とするカメラスタンド構造。
【請求項６】
請求項５に記載のカメラスタンド構造において、前記凹部は円形を有し且つ前記中間支持部材も円形を有しており、更に、前記凹部には略長方形状挿通穴が形成され且つ前記中間支持部材には略長方形状係止板部が形成されており、前記中間支持部材を前記凹部に挿入し且つ前記略長方形状係止板部を前記略長方形状挿通穴を挿入した状態で前記中間支持部材を回すことで前記略長方形状係止板部が前記凹部の裏面側に位置して前記中間支持部材が前記スタンドに固定されることを特徴とするカメラスタンド構造。
【発明の詳細な説明】
【技術分野】
【０００１】
この発明は、監視カメラなどを卓上置きするのに用いることができるカメラスタンド構造に関する。
【背景技術】
【０００２】
図５はカメラと三脚とを連結するための連結金具５０を示した斜視図である。連結金具５０の両サイド（フランジ部）には合計４つのねじ挿通穴５０ａが形成されており、このねじ挿通穴５０ａに挿通された図示しないねじにてカメラ５１が連結金具５０に固定される。そして、連結金具５０の中央部（凹部）には、三脚ねじ用穴５０ｂが形成されている。図示しない三脚の頂部には、ねじ５２が形成されており、このねじ５２が穴５０ｂに通され、三脚にカメラが固定される（特許文献１参照）。
【特許文献１】特開２０００−２９２６号公報
【発明の開示】
【発明が解決しようとする課題】
【０００３】
しかしながら、前記三脚は比較的大きく、これにカメラを取り付けると、全体サイズはかなり大きなものになる。一方、独自の連結具を用いてカメラを簡易な卓上スタンドに取り付けることも考えられるが、カメラ自体にはチルト機構は無く、チルト機構を実現しようとするとするのであれば、前記三脚のチルト機構を利用せざるを得ない。
【０００４】
この発明は、上記の事情に鑑み、カメラと三脚とを連結するための連結部材を利用してカメラをスタンドに簡単に装着することができ、更には、スタンド上でのカメラ姿勢を適正に定めることができ、更にはカメラをスタンド上でチルト動作させることができるカメラスタンド構造を提供することを目的とする。
【課題を解決するための手段】
【０００５】
この発明のカメラスタンド構造は、上記の課題を解決するために、カメラと三脚とを連結するための三脚ねじ用穴を有した連結部材が利用され、前記連結部材を中間支持部材のあり溝部にスライドさせて嵌め込むことができ、前記中間支持部材がスタンドに装着されることを特徴とする。
【０００６】
上記の構成であれば、カメラと三脚とを連結するための連結部材を利用してカメラをスタンドに簡単に装着することができる。
【０００７】
上記のカメラスタンド構造において、前記中間支持部材には弾性支持された片部が形成されており、この片部には略半球状の凸部が形成されており、前記連結部材の三脚ねじ用穴に前記凸部が係止されたときに、前記カメラの基本姿勢が定まるように構成されていてもよい。これによれば、スタンド上でのカメラ姿勢を適正に定めることができる。
【０００８】
これら構成のカメラスタンド構造において、前記あり溝部にスライド嵌合する前記連結部材の箇所が円弧形状を有しており、前記あり溝部も円弧形状を有しており、前記連結部材を前記あり溝部内でスライドさせることで前記カメラがチルト動作するように構成されていてもよい。これによれば、三脚によらなくても、カメラをスタンド上でチルト動作させることができる。
【０００９】
これらカメラスタンド構造において、前記中間支持部材の連結部材入り口とは反対の側に前記連結部材のスライド移動の範囲を制限するストッパが形成されているのがよい。また、前記スタンドには凹部が形成されており、この凹部に前記中間支持部材が挿入され、前記凹部の内面が前記連結部材のスライド移動の範囲を制限するストッパとなる構成としてもよい。また、前記凹部は円形を有し且つ前記中間支持部材も円形を有しており、更に、前記凹部には略長方形状挿通穴が形成され且つ前記中間支持部材には略長方形状係止板部が形成されており、前記中間支持部材を前記凹部に挿入し且つ前記略長方形状係止板部を前記略長方形状挿通穴を挿入した状態で前記中間支持部材を回すことで前記略長方形状係止板部が前記凹部の裏面側に位置して前記中間支持部材が前記スタンドに固定される構成としてもよい。
【発明の効果】
【００１０】
この発明によれば、カメラと三脚とを連結するための連結部材を利用してカメラをスタンドに簡単に装着することができる。連結部材に形成されている三脚ねじ用の穴に中間支持部材の凸部が係止されたときにカメラの基本姿勢が定まるので、スタンド上でのカメラ姿勢を適正に定めることができる。連結部材をあり溝部内でスライドさせることでカメラがチルト動作するので、チルトのためにわざわざ三脚を購入するといったことを無くすことができる。勿論、三脚を既に持っているユーザにしてみれば、前記連結部材を用いてカメラを三脚に取り付けることも可能となる。
【発明を実施するための最良の形態】
【００１１】
以下、この発明の実施形態におけるカメラスタンド構造を図１乃至図４に基づいて説明する。
【００１２】
図１はカメラスタンド構造を構成する連結金具１と中間支持部材２とスタンド３とを示した分解斜視図である。
【００１３】
連結金具１の両サイド（フランジ部）には合計４つのねじ挿通穴１ａが形成されており、このねじ挿通穴１ａに挿通された図示しないねじにてカメラ５（図２等参照）が連結金具１に固定される。そして、連結金具１の中央部（凹部）には三脚ねじ用の穴１ｂが形成されている。図示しない三脚の頂部には、ねじが形成されており、このねじを三脚ねじ用の穴１ｂに通してカメラ５を三脚に固定することも可能である。なお、通常の連結金具における中央部（凹部）は平坦形状を有するが、上記連結金具１の中央部（凹部）は円弧形状（図１において手前から奥にかけて中央ほど下方側に凸である）を有している。また、前記中央部（凹部）は前記両サイド（フランジ部）よりも横方向に大きい。すなわち、前記中央部（凹部）には前記両サイド（フランジ部）から突出する部分（以下、突出部１ｃという）が存在している。
【００１４】
中間支持部材２は、略円板形状の本体部２１と当該本体部２１の底面側に存在する長方形状の係止板状部２２とから成る。本体部２１には、図１中、手前から奥にかけて形成されたあり溝２１ａが存在している。このあり溝２１ａにおけるリップ部間の間隔は連結金具１の両サイド（フランジ部）の幅に略一致し、あり溝２１ａにおける内側壁間の間隔は連結金具１の中央部（凹部）の幅に略一致している。あり溝２１ａの長さは、連結金具１の中央部（凹部）の長さ（前記幅と直交する方向の長さ）よりも長い。
【００１５】
あり溝２１ａの手前側箇所が前記連結金具１の入り口となる。この入り口から連結金具１をあり溝２１ａに差し込み、連結金具１をスライドさせることで連結金具１の突出部１ｃがあり溝２１ａに嵌合する（図２参照）。このようなスライドによる嵌合によって装着が行えるので、装着の手間がかからないし、取り外しも容易になる。前記入り口と反対の箇所には、連結金具１のスライド移動の範囲を制限するストッパ２１ｄが形成されている。
【００１６】
図３にも示しているように、あり溝２１ａは連結金具１における中央部（凹部）の円弧形状に対応した円弧を有している。この円弧はカメラ５のレンズ光軸上の一点を中心としてあり溝２１ａを通る。連結金具１をあり溝２１ａ内でスライドさせることにより連結金具１は前記円弧形状による円弧軌道に沿って動く。これにより、図４（ａ）（ｂ）に示しているように、連結金具１に連結されたカメラ５がチルト動作する。
【００１７】
本体部２１の中央部には、片側のみが本体部２１に連結された（弾性支持された）片部２１ｂが形成されており、この片部２１ｂの上面には略半球状の凸部２１ｃが形成されている。前記スライドによる装着にて連結金具１に形成されている三脚ねじ用の穴１ｂに前記凸部２１ｃが下から嵌合する。この嵌合（係止）状態でカメラ５の基本姿勢が定まるようにしてある。この実施形態では、カメラ５の基本姿勢はカメラ５のレンズ光軸が水平（光軸とスタンド底面とが平行）になる状態としている。前記三脚ねじ用の穴１ｂに前記凸部２１ｃが係止されるときにクリック感が得られるので、カメラ５が基本姿勢にあることをユーザは認識し易くなる。また、元々連結金具１に存在する三脚ねじ用の穴１ｂを利用してカメラ５の基本姿勢保持を実現するので、構造の簡単化が図れる。
【００１８】
中間支持部材２の係止板状部２２は、図１において手前から奥にかけて長く形成されている。また、係止板状部２２の手前側端と奥側端には係止凹部２２ａが形成されている。
【００１９】
スタンド３には凹部３ａが形成されている。凹部３ａは中間支持部材２の本体部２１に対応した大きさの円形を有する。凹部３ａに中間支持部材２の本体部２１が挿入された状態で、凹部３ａの内面が連結金具１のスライド移動の範囲を制限するストッパとなる。また、前記凹部３ａの底板部には長方形状挿通穴３ｂが形成されている。この長方形状挿通穴３ｂは横方向（左右方向）に長い。前記中間支持部材２の本体部２１を前記凹部３ａに挿入し且つ前記係止板状部２２を長方形状挿通穴３ｂに挿入した状態で中間支持部材２を回すことで係止板状部２２が前記凹部３ａの裏面側に位置して前記中間支持部材２が前記スタンド３に固定される。また、凹部３ａの裏面側には下方に突出する凸部３ｃ・３ｃが形成されており、係止板状部２２の係止凹部２２ａが凸部３ｃ・３ｃに係合する。カメラ５をスタンド３から取り外すときには、中間支持部材２を逆回しすればよい。
【００２０】
なお、カメラ５の前部には透明ドーム５ａが設けられており、この透明ドーム５ａにカメラ５のレンズ部が位置する。また、カメラ５の後部には無線ＬＡＮカード６の差し込み口が形成されている。スタンド３に装着されたカメラ５は卓上に置かれ、撮像した室内の映像等を前記無線ＬＡＮカード６にてパーソナルコンピュータに送信する。このパーソナルコンピュータから送信された映像データを例えばユーザの携帯電話が受信する。また、カメラ５の背面側にも連結金具１が取り付けられるようにしている。
【図面の簡単な説明】
【００２１】
【図１】この発明の実施形態のカメラスタンド構造における連結金具と中間支持部材とスタンドの外観を示した斜視図である。
【図２】図１のカメラスタンド構造でカメラがスタンドに装着された状態を正面から見た断面図である。
【図３】図１のカメラスタンド構造でカメラがスタンドに装着された状態を側面から見た断面図である。
【図４】同図（ａ）及び（ｂ）は図１のカメラスタンド構造によるカメラのチルト動作を示した側面図である。
【図５】連結金具を用いた三脚へのカメラ取り付けを示した斜視図である。
【符号の説明】
【００２２】
１    連結金具
１ｂ  三脚ねじ用の穴
２    中間支持部材
２１  本体部
２１ａあり溝
２１ｂ片部
２１ｃ凸部
２２  係止板状部
３    スタンド
３ａ  凹部
３ｂ  長方形状挿通穴
【図１】
2006053357.tif 000003
【図２】
2006053357.tif 000004
【図３】
2006053357.tif 000005
【図４】
2006053357.tif 000006
【図５】
2006053357.tif 000007